(57)【要約】      （修正有）【課題】ポンプディスペンサを使用して液を吐出する際に、滑りにくく且つ効率良くノズルヘッドやトリガーに力が加わる噴射器を提供する。【解決手段】シリンダ内の液をピストンで圧して噴射させるポンプディスペンサと該ポンプディスペンサを取り付けた容器本体２とよりなる噴射器において、ポンプディスペンサにはピストンを動かすために手の一部を当接する手掛け部１１を備え、容器本体２には手の一部を支える取っ手部２１を備えており、取っ手部２１と手掛け部１１とを手で使ってピストンを動かす噴射器。【選択図】図４
2010269253.tif 000002
【特許請求の範囲】
【請求項１】
シリンダ内の液をピストンで圧して噴射させるポンプディスペンサと該ポンプディスペンサを取り付けた容器本体とよりなる噴射器において、
ポンプディスペンサにはピストンを動かすために手の一部を当接する手掛け部を備え、容器本体には手の一部を支える取っ手部を備えており、
取っ手部と手掛け部とを手で使ってピストンを動かすことを特徴とする噴射器。
【請求項２】
手掛け部がトリガーであることを特徴とする請求項１記載の噴射器。
【請求項３】
手掛け部が上下移動式のノズルヘッドであることを特徴とする請求項１記載の噴射器。
【請求項４】
容器本体の上面がＬ字状に突出して取っ手部が形成されていることを特徴とする請求項２記載の噴射器。
【請求項５】
容器本体の上面が突出して孔部を有する取っ手部が形成されていることを特徴とする請求項２記載の噴射器。
【請求項６】
容器本体の上面がＬ字状に突出してその口部の両側に取っ手部が形成されていることを特徴とする請求項３記載の噴射器。
【請求項７】
容器本体の上面がＵ字状に突出して取っ手部が形成されていることを特徴とする請求項３記載の噴射器。
【発明の詳細な説明】
【技術分野】
【０００１】
本発明は容器内に収容された液を吐出させるための噴射器に関し、更に詳しくは、液を吐出する際に、滑りにくく且つ効率良くピストンに力が伝わる噴射器に関する。
【背景技術】
【０００２】
今日、容器に収容された液を勢いよく吐出させる器具としてポンプディスペンサが知られている。
ポンプディスペンサは、通常、ピストン及びシリンダを備えており、ピストンを手動で駆動させることでシリンダ内の液に圧が加わりノズルから液が吐出される。
そして、ポンプディスペンサはピストンの動かし方により数種類に大別され、ノズルヘッドを押し下げてピストンの上下移動を行う方式のもの（ノズル押し下げ式ポンプディスペンサ）（特許文献１参照）、或いはトリガーを引いて同じくピストンの上下移動を行う方式のもの（トリガー式ポンプディスペンサ）がある（特許文献２参照）。
【０００３】
前者においては、ピストンの延長にノズルヘッドが設けられており、このノズルヘッドを指で押し下げることにより、ピストンが移動し、シリンダ内の液圧が高まり、ノズルから液が吐出される。
後者においては、トリガー式ポンプディスペンサの前面にトリガーが設けられており、これを指で握り込んで手前に引くと、そのことに連動してピストンが移動し、同様にノズルから液が吐出される。
【先行技術文献】
【特許文献】
【０００４】
【特許文献１】特許第３１００９１１号
【特許文献２】特開２００１−３２４８２８号公報
【発明の概要】
【発明が解決しようとする課題】
【０００５】
ところで、ノズル押し下げ式ポンプディスペンサでは、その周囲を手の平で握って支え、親指或いは人差し指を使ってノズルヘッド（手掛け部）を押し下げる。
或いは一方の手で容器本体２を掴んで支えておき、他方の手でノズルヘッド（手掛け部）を押し下げる。
しかし、ノズル押し下げ式ポンプディスペンサ自体や容器本体が水や液剤で濡れていると、手が滑ったりして力がノズルヘッドに効率良く伝わらない。
【０００６】
一方、トリガー式ポンプディスペンサでは、トリガーを引き込む場合に、親指と人差し指との間の部分を容器本体の口部に当てて支え、他の指（人差し指、中指、薬指、小指）でトリガー（手掛け部）を引き込む。
しかし、この場合も同様に、トリガー式ポンプディスペンサや容器本体が濡れていると手が滑ってトリガーに力が入らない。
このように、従来のポンプディスペンサでは、手が滑ってノズルヘッドやトリガーに力が入りにくい問題点があった。
すなわち、力を加える部分（力点）であるノズルヘッドやトリガーには指が掛かるが、他方の手で支える部分が滑り易いため、手で引く力が十分にノズルヘッドやトリガーに伝わらないのである。
特に握力が弱い老人や子供に対しては影響が大きく、このような問題点を是非回避しなければならない。
【０００７】
本発明は、上記事情を鑑みてなされたものである。
すなわち、ポンプディスペンサを使用して液を吐出する際に、滑りにくく且つ効率良くノズルヘッドやトリガーに力が加わる噴射器を提供することを目的とする。
【課題を解決するための手段】
【０００８】
本発明者らは、上記課題を解決するため鋭意検討したところ、手を支える部分と、指を掛ける部分とを、別体に設けることにより、上記課題を解決し得ることを見出し、本発明を完成するに至った。
【０００９】
すなわち、本発明は、（１）、シリンダ内の液をピストンで圧して噴射させるポンプディスペンサと該ポンプディスペンサを取り付けた容器本体とよりなる噴射器において、ポンプディスペンサにはピストンを動かすために手の一部を当接する手掛け部を備え、容器本体には手の一部を支える取っ手部を備えており、取っ手部と手掛け部とを手で使ってピストンを動かす噴射器に存する。
【００１０】
本発明は、（２）、手掛け部がトリガーである上記（１）記載の噴射器に存する。
【００１１】
本発明は、（３）、手掛け部が上下移動式のノズルヘッドである上記（１）記載の噴射器に存する。
【００１２】
本発明は、（４）、容器本体の上面がＬ字状に突出して取っ手部が形成されている上記（２）記載の噴射器に存する。
【００１３】
本発明は、（５）、容器本体の上面が突出して孔部を有する取っ手部が形成されている上記（２）記載の噴射器に存する。
【００１４】
本発明は、（６）、容器本体の上面がＬ字状に突出してその口部の両側に取っ手部が形成されている上記（３）記載の噴射器に存する。
【００１５】
本発明は、（７）、容器本体の上面がＵ字状に突出して取っ手部が形成されている上記（３）記載の噴射器に存する。
【００１６】
なお、本発明の目的に添ったものであれば上記発明を適宜組み合わせた構成も採用可能である。
【発明の効果】
【００１７】
本発明の噴射器は、シリンダ内の液をピストンで圧して噴射させるポンプディスペンサと該ポンプディスペンサを取り付けた容器本体２とよりなり、ポンプディスペンサにはピストンを動かすために手の一部を当接する手掛け部１１を備え、容器本体２には手の一部を支える取っ手部２１を備えており、取っ手部２１と手掛け部１１とを手で使ってピストンを動かすものである。
そのため液を吐出させる際に、手が滑りにくく、ノズルヘッド１１Ｂやトリガー１１Ａを介して効率良くピストンに力が伝わる。
【００１８】
手掛け部１１がトリガー１１Ａであり、容器本体２の上面が突出して孔部Ｓを有する取っ手部２１が形成されていることにより（第１実施の形態）、孔部Ｓに４本の指（人差し指、中指、薬指、小指）を挿入して取っ手部２１の上部を握ることで、確実に容器本体２が指で支えられる。
取っ手部２１に近づけるように親指でトリガー１１Ａを押し下げても、容器本体２から手が滑ることもない。
親指の押し下げる力がトリガー１１Ａに入れ易く、結果的にピストンに効率良く力が伝わる。
【００１９】
手掛け部１１がトリガー１１Ａであり、容器本体２の上面がＬ字状に突出して取っ手部２１が形成されていることにより（第２実施の形態）、親指と人差し指の間の部分に取っ手部２１が支えられた状態で手のひらが容器本体２の周囲に当接できるので、トリガー１１Ａが引き込み易い。
そのためトリガー１１Ａに力が入れ易く、結果的にピストンに効率良く力が伝わる。
また噴射器ＡのノズルＮを手前の顔側に向けて使用する場合は、まず取っ手部２１に人差し指や中指を当てて容器を支え、親指でトリガー１１Ａを向こう側へ押し込む。
やはり、トリガー１１Ａに力が入れ易く、そのため効率良くトリガー１１Ａに力が伝わる。
【００２０】
手掛け部１１が上下移動式のノズルヘッド１１Ｂであり、容器本体２の上面がＵ字状に突出して取っ手部２１が形成されていることにより（第３実施の形態）、容器本体２を下方から支えた状態で手のひらが容器本体２の周囲に当接できるので、親指に力を入れ易くノズルヘッド１１Ｂが引き下げ易い。
そのため、ノズルヘッド１１Ｂに力が入れ易く、結果的にピストンに効率良く力が伝わる。
【００２１】
また、取っ手部２１に人差し指と中指（或いは中指と薬指）を引っ掛けて容器本体２を支え、ノズルヘッド１１Ｂを親指で押し下げる操作も可能である。
この場合、人差し指と中指を取っ手部２１に引っ掛け容器本体２をぶら下げて支えた状態なので、ノズルヘッド１１Ｂが押し下げ易い。
手掛け部が上下移動式のノズルヘッド１１Ｂであり、容器本体２の上面がＬ字状に突出し、容器本体２の口部２Ａの両側に取っ手部２１が形成されていることにより（第４実施の形態）、取っ手部２１を人差し指と中指で支え、容器をぶら下げて支えた状態で、親指をノズルヘッド１１Ｂに当てて押し下げることが可能となり、親指を押し下げるようにし、同時に人差し指と中指を逆方向に押し上げる操作ができる。
ノズルヘッド１１Ｂに力が入れ易く、結果的にピストンに効率良く力が伝わる。
【００２２】
親指と人差し指の間の部分に一方の取っ手部２１が支えられた状態で手のひらを容器本体２の周囲に当接して握る方法も可能である。
この場合、他方の取っ手を利用すれば左利きでも容易に使用可能である。
【００２３】
また、取っ手部２１に親指と中指を当てて下方から支え、人差し指をノズルヘッド１１Ｂに当てて押し下げる操作もできるが、この場合、親指と中指が取っ手部２１を支えた状態で手のひらが容器本体２の周囲に当接できるので、ノズルヘッド１１Ｂが引き下げ易い。
そのため効率良くピストンに力が伝わる。
【図面の簡単な説明】
【００２４】
【図１】図１は、トリガー式ポンプディスペンサを備えた噴射器を示し、（Ａ）は正面図、（Ｂ）平面図である。
【図２】図２は、トリガー式ポンプディスペンサを備えた噴射器を示し、（Ａ）は正面図、（Ｂ）平面図である。
【図３】図３は、ノズル押し下げ式ポンプディスペンサを備えた噴射器を示し、（Ａ）は正面図、（Ｂ）平面図である。
【図４】図４は、ノズル押し下げ式ポンプディスペンサを備えた噴射器を示し、（Ａ）は正面図、（Ｂ）は側面図、（Ｃ）は平面図である。
【図５】図５は、第１実施形態のトリガー式ポンプディスペンサの内部構造を示す。
【図６】図６は、第２実施形態のトリガー式ポンプディスペンサの内部構造を示す。
【図７】図７は、第３及び第４実施形態のノズル押し下げ式ポンプディスペンサの内部構造を示す。
【発明を実施するための形態】
【００２５】
以下、必要に応じて図面を参照しつつ、本発明の好適な実施形態について詳細に説明する。
なお、図面中、同一要素には同一符号を付すこととし、重複する説明は省略する。
また、上下左右等の位置関係は、特に断らない限り、図面に示す位置関係に基づくものとする。
更に、図面の寸法比率は図示の比率に限られるものではない。
【００２６】
本発明の噴射器Ａは、シリンダ１０２内の液をピストン１０１で圧して噴射させるポンプディスペンサと該ポンプディスペンサを取り付けた容器本体２とよりなる。
そしてポンプディスペンサにはピストンを動かすために手の一部を当接する手掛け部を備えており、容器本体２には手の一部を支える取っ手部２１を備えている。
そして、これら取っ手部２１と手掛け部１１とを手で使ってピストンを動かすことを特徴とする。
本発明の噴射器Ａに備わっているポンプディスペンサ１は、トリガー１１Ａを引いて同じくピストンの上下移動を行う方式のトリガー式ポンプディスペンサ１Ａ、及びノズルヘッド１１Ｂを押し下げてピストンの上下移動を行う方式のノズル押し下げ式ポンプディスペンサ１Ｂがある。
【００２７】
〔第１実施の形態〕
図１は、トリガー式ポンプディスペンサ１Ａを備えた噴射器Ａを示し、（Ａ）は正面図、（Ｂ）平面図である。
図１に示すように、トリガー式ポンプディスペンサ１Ａは、その上部にピストンを上下に動かす手掛け部（ここではトリガー１１Ａ）１１を備えている。
容器本体２の上面はトリガー式ポンプディスペンサ１Ａに沿うように突出して取っ手部２１を形成しており、取っ手部２１は指を入れるための孔部Ｓを有するものである。尚、トリガー式ポンプディスペンサ１Ａはキャップによって容器の口部２Ａに取り付けられるので、取っ手部２１は、口部２Ａに沿うように突出しているともいえる。
【００２８】
噴射器Ａを使用する場合は、まず４本の指（人差し指、中指、薬指、小指）で取っ手部２１を握り、親指をトリガー１１Ａに上から添える。
取っ手部２１が上面に突出し且つポンプディスペンサ１に沿うように形成されているのでトリガー１１Ａとの距離が小さくなり、容易に親指を添えることができる。
【００２９】
取っ手部２１には孔部Ｓがあるので、指が引っ掛け易い。
そして、この状態で単に親指でトリガー１１Ａを押し下げれば、トリガー１１Ａに連結されたピストンが下がりシリンダ内に収容された液が圧を受けて、ノズルＮから吐出される。
取っ手部２１に近づけるように親指でトリガー１１Ａを押し下げると、容器本体２から手が滑ることもなく、親指の押し下げる力が効率良くトリガー１１Ａに伝わる。
また持ち運ぶ際も、４本の指（人差し指、中指、薬指、小指）を挿入して取っ手部２１の上部を握ることで、大型の容器本体２でも容易に持ち上げることができる。
【００３０】
このように、本実施形態の噴射器Ａにおいては、トリガー式ポンプディスペンサ１Ａの周囲全体を握る必要は全くない。
取っ手部２１に指を引っ掛けるようにして握った状態でトリガー１１Ａを押し下げるだけの操作であるから、老人のように力が弱い者でも、或いは、子供のように手が小さい者であっても操作ができる。
尚、トリガー１１Ａを取っ手部２１をカバーする位置まで延ばした設計とすると、トリガー１１Ａを手の平で押し下げることも可能となる。
【００３１】
〔第２実施の形態〕
図２は、トリガー式ポンプディスペンサ１Ａを備えた噴射器を示し、（Ａ）は正面図、（Ｂ）平面図である。
トリガー式ポンプディスペンサ１Ａは、前部にピストンを上下に動かす手掛け部（ここではトリガー１１Ａ）１１を備えている。
容器本体２の上面はポンプディスペンサ１に沿うようにＬ字状に突出して取っ手部２１が形成されている。詳しくは、取っ手部２１は容器本体２の上面から垂直に延びる垂直部２１１と、その後、曲がって後方に延びる水平部２１２を備えている。
【００３２】
操作法１）
噴射器Ａを使用する場合は、まず取っ手部２１に親指と人差し指の間の部分（水かき部分）を当てて下方から支え、少なくとも２本の指（人差し指、中指）をトリガー１１Ａに当てて引き込むと（図２参照）、シリンダ内に収容された液がピストンの移動により圧を受けて、ノズルＮから吐出される。
親指と人差し指の間の部分に取っ手部２１が引っ掛かり容器本体２を支えた状態で手のひらが容器本体２の周囲に当接できるので、指がトリガー１１Ａに引っ掛け易くトリガー１１Ａが引き込み易い。
【００３３】
いわゆる手を握り締める操作だけでトリガー１１Ａを水平に引き込むことができるため、効率良く力がトリガー１１Ａに加わる。
取っ手部２１が容器本体２の上面に突出し且つポンプディスペンサに沿うように形成されているので、取っ手部２１とトリガー１１Ａとの距離が小さくなり、手の小さい子供でも、４本の指（人差し指、中指、薬指、小指）を容易にトリガー１１Ａに添えることができる。
【００３４】
操作法２）
取っ手部２１が容器本体２の上面に突出し且つポンプディスペンサに沿うように形成されているので、噴射器ＡのノズルＮを手前に向けて使用することも可能となる。
この場合は、まず取っ手部２１に人差し指や中指を引っ掛けて容器本体２を支え、親指でトリガー１１Ａを押すと、シリンダ内に収容された液がピストンの移動により圧を受けて、ノズルＮから吐出される。
人差し指と中指が取っ手部２１に引っ掛かり容器本体２を支えた状態で手のひらが容器本体２の周囲に当接できるので、親指でトリガー１１Ａを押し易い。
そのため効率良くトリガー１１Ａに力が加わる。
【００３５】
〔第３実施の形態〕
図３は、ノズル押し下げ式ポンプディスペンサ１Ｂを備えた噴射器を示し、（Ａ）は正面図、（Ｂ）平面図である。
この実施の形態のノズル押し下げ式ポンプディスペンサ１Ｂは、その上部にピストンを上下に動かす手掛け部（ここではノズルヘッド１１Ｂ）１１を備えている。
容器本体２の上面はＵ字状に突出して且つポンプディスペンサに沿うように取っ手部２１が形成されている。
詳しくは、容器本体２の上面から垂直に延びる垂直部２１１と、その後、曲がって下方に延びる戻り部２１３を備えている。
【００３６】
操作法１）
噴射器Ａを使用する場合は、まず取っ手部２１に人差し指と中指を入れて支え、親指をノズルヘッド１１Ｂに当てて引き下げると（図３参照）、シリンダ内に収容された液がピストンの移動により圧を受けて、ノズルＮから吐出される。
容器本体２を下方から支えた状態で手のひらが容器本体２の周囲に当接できるので、親指に力を入れ易くノズルヘッド１１Ｂが引き下げ易い。
【００３７】
操作法２）
噴射器Ａを使用する場合は、まず取っ手部２１に人差し指と中指（或いは中指と薬指）を引っ掛けて容器本体２を支え、ノズルヘッド１１Ｂを親指で押し下げると、シリンダ内に収容された液がピストンの移動により圧を受けて、ノズルＮから吐出される。
容器本体２の上面はＵ字状に突出して且つノズル押し下げ式ポンプディスペンサ１Ｂに沿うように取っ手部２１が形成されているので親指をノズルヘッド１１Ｂの上に容易に添えることができ。
人差し指と中指を取っ手部２１に引っ掛け容器本体２をぶら下げて支えた状態なので、ノズルヘッド１１Ｂが押し下げ易い。
尚、この実施の形態の場合、取っ手部２１を第２の実施の形態のように、Ｌ字状に形成してもよい。
【００３８】
〔第４実施の形態〕
図４は、ノズル押し下げ式ポンプディスペンサ１Ｂを備えた噴射器を示し、（Ａ）は正面図、（Ｂ）は側面図、（Ｃ）は平面図である。
この実施の形態のノズル押し下げ式ポンプディスペンサ１Ｂは、その上部にピストンを上下に動かす手掛け部（ノズルヘッド１１Ｂ）１１を備えている。
容器本体２の上面がＬ字状に突出して且つポンプディスペンサに沿うように取っ手部２１が形成されている。
Ｌ字状に突出した取っ手部２１は、容器本体２の口部２Ａの両側に形成されている。
丁度、第３の実施の形態の取っ手部２１が一対備わったものとなっている。
この実施の形態の噴射器は、例えば、次の握り操作が可能である。
【００３９】
操作法１）
噴射器Ａを使用する場合、まず取っ手部２１に人差し指と中指を引っ掛け、容器本体２をぶら下げて支えた状態で、親指をノズルヘッド１１Ｂに当てて押し下げると（図４参照）、シリンダ内に収容された液がピストンの移動により圧を受けて、ノズルＮから吐出される。
親指を押し下げると同時に人差し指と中指を逆方向に押し上げる操作であるため、ノズルヘッド１１Ｂに力が入れ易く、結果的にピストンに効率良く力が伝わる。
非力な老人や、手の小さい子供でも簡単に使える。
【００４０】
操作法２）
この場合、第３の実施形態のような操作も可能である。
すなわち噴射器Ａを使用する場合、まず一方の取っ手部２１に親指と人差し指の間の部分を当てて支え、親指をノズルヘッド１１Ｂに当てて引き下げると、シリンダ内に収容された液がピストンの移動により圧を受けて、ノズルＮから吐出される。
ノズルヘッド１１Ｂは、図より９０度或いは１８０度と右回転させて使う。
親指と人差し指の間の部分に取っ手部２１が当接し容器本体２を支えた状態で手のひらが容器本体２の周囲に当接できるので、ノズルヘッド１１Ｂが引き下げ易い。
そのため効率良くピストンに力が伝わる。
この場合、左利きの人も上記のような操作ができる利点がある。
【００４１】
操作法３）
噴射器Ａを使用する場合は、まず取っ手部２１の一方に親指を、他方に中指を当てて下方から支え、人差し指をノズルヘッド１１Ｂに当てて引き下げると、シリンダ内に収容された液がピストンの移動により圧を受けて、ノズルＮから吐出される。
【００４２】
取っ手部２１に親指と中指を当てて支え、人差し指をノズルヘッド１１Ｂに当てると、親指と中指が取っ手部２１を支えた状態で手のひらが容器本体２の周囲に当接できるので、ノズルヘッド１１Ｂが引き下げ易い。
そのため効率良くピストンに力が伝わる。
このような操作ができるのも容器本体２の上面がＬ字状に突出して且つポンプディスペンサ１に沿うように取っ手部２１が形成されているためである。
尚、この実施の形態の場合、取っ手部２１を第３の実施の形態のように、Ｕ字状に形成してもよい。
【００４３】
本発明は上述した実施形態のみに限定されるものではなく、種々の変形が可能である。
【００４４】
本発明の噴射器Ａは、手で掴む部分（手掛け部と取っ手部２１）をポンプディスペンサと容器本体２に区別して設けたところが重要であり、手掛け部と取っ手部２１との協働作用で手を使ってピストンの動きに導くものである。
しかも容器本体２の上面が突出して且つポンプディスペンサに沿うように取っ手部２１が形成されているので、手掛け部に効率良く力が加わる。
そのため、ポンプディスペンサ１がピストン１０１とシリンダ１０２と手掛け部１１（トリガー１１Ａ、ノズルヘッド１１Ｂ、）を備えるものであれば、その構造は限定されず本発明の適用は当然可能である。
【００４５】
図５に第１実施形態のトリガー式ポンプディスペンサ１Ａの内部構造、図６に第２実施形態のトリガー式ポンプディスペンサ１Ａ内部構造、及び図７に第３及び第４実施形態のノズル押し下げ式ポンプディスペンサ１Ｂの内部構造をそれぞれ示す。  
【産業上の利用可能性】
【００４６】
また本発明の噴射器は、その原理から見て、容器にポンプディスペンサが備わった噴射機器であれば、広範囲に適用可能である。
また容器本体も、例えば、化粧品、シャンプー、ボディソープ、食器用洗剤等の種々の収納容器に適用することが可能である。
【符号の説明】
【００４７】
１・・・ポンプディスペンサ
１Ａ・・・トリガー式ポンプディスペンサ
１１・・・手掛け部
１１Ａ・・・トリガー
１Ｂ・・・ノズル押し下げ式ポンプディスペンサ
１１Ｂ・・・ノズルヘッド
２・・・容器本体
２Ａ・・・口部
２１・・・取っ手部
２１１・・・垂直部
２１２・・・水平部
２１３・・・戻り部
１０１・・・ピストン
１０２・・・シリンダー
Ａ・・・噴射器
Ｎ・・・ノズル
Ｓ・・・孔部
【図１】
2010269253.tif 000003
【図２】
2010269253.tif 000004
【図３】
2010269253.tif 000005
【図４】
2010269253.tif 000006
【図５】
2010269253.tif 000007
【図６】
2010269253.tif 000008
【図７】
2010269253.tif 000009